【手続補正書】
【提出日】平成19年7月18日(2007.7.18)
【手続補正１】
【補正対象書類名】特許請求の範囲
【補正対象項目名】全文
【補正方法】変更
【補正の内容】
【特許請求の範囲】
【請求項１】
磁性ヨークと、前記磁性ヨークの上部および下部磁極間において形成される記録ギャップ層と、複数のコイル層を有する記録コイルとからなり、
各コイル層は、前記上部および下部磁極間において前記記録ギャップ層により形成される平面を貫通して連続的に延在し、各コイル層は、前記上部および下部磁極間において４μｍ以上の高さを有する磁気ヘッド。
【請求項２】
前記記録コイルは、コイル巻数１回毎に４オーム未満の電気抵抗を有し、磁気ヘッドの浮上面（ＡＢＳ）における熱膨出を減少させることができるだけの十分な電気抵抗を有する請求項１に記載の磁気ヘッド。
【請求項３】
各コイル分離層は、０．４μｍ未満である請求項１に記載の磁気ヘッド。
【請求項４】
各コイル層は、銅からなり、前記上部および下部磁極の少なくとも一方は、さらに、前記記録コイルがその上／下に配置される磁極層と、浮上面（ＡＢＳ）において前記磁極層の上／下に形成されるペデスタルとからなり、前記磁極層は、交互に設けられる磁性および非磁性誘電体材料の層からなる請求項１に記載の磁気ヘッド。
【請求項５】
少なくとも１個の回転可能磁気ディスクと、
前記少なくとも１個の回転可能磁気ディスクを支持するスピンドルと、
前記少なくとも１個の回転可能磁気ディスクを回転させるディスク駆動モータと、
前記少なくとも１個の回転可能磁気ディスクからのデータを記録する磁気ヘッドと、
前記磁気ヘッドを支持するスライダとからなり、
前記磁気ヘッドは、磁性ヨークと、
前記磁性ヨークの上部および下部磁極間において形成される記録ギャップ層と、
複数個のコイル層を有する記録コイルとを含み、
各コイル層は、前記上部および下部磁極間において前記記録ギャップ層により形成される平面を貫通して連続的に延在し、各コイル層は、前記上部および下部磁極間において４μｍ以上の高さを有する磁気記録装置。
【請求項６】
前記記録コイルは、コイル巻数１回毎に４オーム未満の電気抵抗を有し、磁気ヘッドの浮上面（ＡＢＳ）における熱膨出を減少させることができるだけの十分な電気抵抗を有する請求項５に記載の磁気記録装置。
【請求項７】
各コイル分離層は、０．４μｍ未満である請求項５に記載の磁気記録装置。
【請求項８】
前記上部および下部磁極の少なくとも一方は、さらに、前記記録コイルがその上／下に配置される磁極層と、浮上面（ＡＢＳ）において前記磁極層の上／下に形成されるペデスタルとからなり、前記磁極層は、交互に設けられる磁性および非磁性誘電体材料の層からなる請求項５に記載の磁気記録装置。
【請求項９】
磁性ヨークと、前記磁性ヨークの上部および下部磁極間において形成される記録ギャップ層と、複数個のコイル層を有する記録コイルとからなり、各コイル層は、前記記録ギャップ層と前記磁性ヨークの前記下部磁極および前記上部磁極の一方との間において連続的に延在し、各コイル層は、前記上部および下部磁極間において４μｍ以上の高さを有する磁気ヘッド。
【請求項１０】
前記記録ギャップ層と前記磁性ヨークの前記下部磁極の間において、連続的に延在する各コイル層を、さらに有する請求項９に記載の磁気ヘッド。
【請求項１１】
前記記録コイルは、磁気ヘッドの浮上面（ＡＢＳ）における熱膨出を減少させることができるだけの十分な電気抵抗を有する請求項９に記載の磁気ヘッド。
【請求項１２】
前記記録コイルは、コイル巻数１回毎に０．５オーム未満の電気抵抗を有する請求項９に記載の磁気ヘッド。
【請求項１３】
各コイル層は、前記上部および下部磁極間において４μｍ未満の高さを有する請求項９に記載の磁気ヘッド。
【請求項１４】
各コイル分離層は、０．４μｍ未満である請求項９に記載の磁気ヘッド。
【請求項１５】
前記下部磁極および前記上部磁極の一方は、さらに、前記記録コイルがその上／下に配置される磁極層と、浮上面（ＡＢＳ）において前記磁極層の下に形成されるペデスタルとからなる請求項９に記載の磁気ヘッド。
【請求項１６】
前記上部および下部磁極の少なくとも一方は、さらに、前記記録コイルがその上／下に配置される磁極層からなり、前記磁極層は、交互に設けられる磁性および非磁性誘電体材料の層からなる請求項９に記載の磁気ヘッド。
【請求項１７】
少なくとも１個の回転可能磁気ディスクと、
前記少なくとも１個の回転可能磁気ディスクを支持するスピンドルと、
前記少なくとも１個の回転可能磁気ディスクを回転させるディスク駆動モータと、
前記少なくとも１個の回転可能磁気ディスクからのデータを記録する磁気ヘッドと、
前記磁気ヘッドを支持するスライダとからなり、
前記磁気ヘッドは、磁性ヨークと、前記磁性ヨークの上部および下部磁極間において形成される記録ギャップ層と、複数のコイル層を有する記録コイルとを含み、
各コイル層は、前記記録ギャップ層と前記磁性ヨークの前記下部磁極および前記上部磁極の一方との間において連続的に延在し、各コイル層は、前記上部および下部磁極間において４μｍ以上の高さを有する磁気記録装置。
【請求項１８】
前記記録コイルは、前記磁気ヘッドの浮上面（ＡＢＳ）における熱膨出を減少させることができるだけの十分な電気抵抗を有する請求項１７に記載の磁気記録装置。
【請求項１９】
前記上部磁極と前記下部磁極との間において、全体に渡って延在する各コイル層をさらに有する請求項１７に記載の磁気記録装置。
【請求項２０】
前記記録コイルは、コイル巻数１回毎に０．５オーム未満の電気抵抗を有する請求項１７に記載の磁気記録装置。
【請求項２１】
各コイル分離層は、０．４μｍ未満である請求項１７に記載の磁気記録装置。
【請求項２２】
磁性ヨークと、前記磁性ヨークの上部および下部磁極間において形成される記録ギャップ層と、複数個のコイル層を有する記録コイルとからなり、
各コイル層は、前記上部および下部磁極間において前記記録ギャップ層により形成される平面を貫通して連続的に延在し、各コイル分離層は、０．４μｍ未満である磁気ヘッド。
【請求項２３】
前記記録コイルは、コイル巻数１回毎に４オーム未満の電気抵抗を有し、磁気ヘッドの浮上面（ＡＢＳ）における熱膨出を減少させることができるだけの十分な電気抵抗を有する請求項２２に記載の磁気ヘッド。
【請求項２４】
各コイル層は、前記上部および下部磁極間において４μｍ以上の高さを有する請求項２２に記載の磁気ヘッド。
【請求項２５】
前記上部および下部磁極の少なくとも一方は、さらに、前記記録コイルがその上／下に配置される磁極層からなり、前記磁極層は、交互に設けられる磁性および非磁性誘電体材料の層からなる請求項２２に記載の磁気ヘッド。
【請求項２６】
少なくとも１個の回転可能磁気ディスクと、
前記少なくとも１個の回転可能磁気ディスクを支持するスピンドルと、
前記少なくとも１個の回転可能磁気ディスクを回転させるディスク駆動モータと、
前記少なくとも１個の回転可能磁気ディスクからのデータを記録する磁気ヘッドと、
前記磁気ヘッドを支持するスライダとからなり、
前記磁気ヘッドは、磁性ヨークと、前記磁性ヨークの上部および下部磁極間において形成される記録ギャップ層と、複数個のコイル層を有する記録コイルとを含み、
各コイル層は、前記上部および下部磁極間において前記記録ギャップ層により形成される平面を貫通して連続的に延在し、各コイル分離層は、０．４μｍ未満である磁気記録装置。
【請求項２７】
前記記録コイルは、コイル巻数１回毎に４オーム未満の電気抵抗を有し、磁気ヘッドの浮上面（ＡＢＳ）における熱膨出を減少させることができるだけの十分な電気抵抗を有する請求項２６に記載の磁気記録装置。
【請求項２８】
各コイル層は、前記上部および下部磁極間において４μｍ以上の高さを有する請求項２６に記載の磁気記録装置。
【請求項２９】
前記上部および下部磁極の少なくとも一方は、さらに、前記記録コイルがその上／下に配置される磁極層からなり、前記磁極層は、交互に設けられる磁性および非磁性誘電体材料の層からなる請求項２６に記載の磁気記録装置。
【請求項３０】
磁性ヨークと、
前記磁性ヨークの上部および下部磁極間において食刻工程によって形成される記録ギャップ層と、
前記下部磁極上に形成されるペデスタルと、
複数のコイル層を有する記録コイルとからなり、
各コイル層は、前記上部および下部磁極間において前記記録ギャップ層により形成される平面を貫通して連続的に延在し、各コイル層は、前記ペデスタルの一方と前記磁極の上部から前記ペデスタルの他方と前記磁極の高さの半分まで延在する磁気ヘッド。
【請求項３１】
前記記録コイルは、コイル巻数１回毎に４オーム未満の電気抵抗を有し、磁気ヘッドの浮上面（ＡＢＳ）における熱膨出を減少させることができるだけの十分な電気抵抗を有する請求項３０に記載の磁気ヘッド。
【請求項３２】
前記記録コイルは、コイル巻数１回毎に０．５オーム未満の電気抵抗を有する請求項３０に記載の磁気ヘッド。
【請求項３３】
各コイル層は、前記上部および下部磁極間において４μｍ以上の高さを有する請求項３０に記載の磁気ヘッド。
【請求項３４】
各コイル分離層は、０．４μｍ未満である請求項３０に記載の磁気ヘッド。
【請求項３５】
各コイル層は、前記磁極の上部から前記磁極の下部まで延在する請求項３０に記載の磁気ヘッド。
【請求項３６】
前記上部磁極と前記下部磁極との間において、全体に渡って延在する各コイル層をさらに有する請求項３０に記載の磁気ヘッド。
【請求項３７】
前記上部および下部磁極の少なくとも一方は、さらに、前記記録コイルがその上／下に配置される磁極層からなり、前記磁極層は、交互に設けられる磁性および非磁性誘電体材料の層からなる請求項３０に記載の磁気ヘッド。
【請求項３８】
少なくとも１個の回転可能磁気ディスクと、
前記少なくとも１個の回転可能磁気ディスクを支持するスピンドルと、
前記少なくとも１個の回転可能磁気ディスクを回転させるディスク駆動モータと、
前記少なくとも１個の回転可能磁気ディスクからのデータを記録する磁気ヘッドと、
前記磁気ヘッドを支持するスライダとからなり、
前記磁気ヘッドは、磁性ヨークと、
前記磁性ヨークの上部および下部磁極間において食刻工程によって形成される記録ギャップ層と、
前記下部磁極上に形成されるペデスタルと、
複数のコイル層を有する記録コイルとからなり、
各コイル層は、前記上部および下部磁極間において前記記録ギャップ層により形成される平面を貫通して連続的に延在し、各コイル層は、前記ペデスタルの一方と前記磁極の上部から前記ペデスタルの他方と前記磁極の高さの半分まで延在する磁気記録装置。
【請求項３９】
前記記録コイルは、コイル巻数１回毎に４オーム未満の電気抵抗を有し、磁気ヘッドの浮上面（ＡＢＳ）における熱膨出を減少させることができるだけの十分な電気抵抗を有する請求項３８に記載の磁気記録装置。
【請求項４０】
前記記録コイルは、コイル巻数１回毎に０．５オーム未満の電気抵抗を有する請求項３８に記載の磁気記録装置。
【請求項４１】
各コイル層は、前記上部および下部磁極間において４μｍ以上の高さを有する請求項３８に記載の磁気記録装置。
【請求項４２】
各コイル分離層は、０．４μｍ未満である請求項３８に記載の磁気ヘッド。
【請求項４３】
各コイル層は、前記磁極の上部から前記磁極の下部まで延在する請求項３８に記載の磁気記録装置。
【請求項４４】
前記上部磁極と前記下部磁極との間において、全体に渡って延在する各コイル層をさらに有する請求項３８に記載の磁気記録装置。
【請求項４５】
前記上部および下部磁極の少なくとも一方は、さらに、前記記録コイがその上／下に配置される磁極層からなり、前記磁極層は、交互に設けられる磁性および非磁性誘電体材料の層からなる請求項３８に記載の磁気記録装置。